(57)【要約】眼鏡を衣料上に維持するための眼鏡のクラスプ。このクラスプは、テンプルバーが閉じた場合に、互いには整列するが、眼鏡のフレーム本体の中点とは整列しない、眼鏡のテンプルバーに係合された少なくとも１つの磁気手段を備える。磁石は、テンプルバーが閉じた場合に、磁石の引力により連絡する。クラスプは、テンプルバーの片方を閉位置に旋回することによって使用される。フレーム本体および閉じたテンプルバーが、次いで、衣料の片側に位置付けられる。次いで、第２のテンプルバーが、衣料のもう片側にくるように閉位置に旋回される。テンプルバーが閉じた状態で、磁石は、磁石の引力により連絡し、衣服の物品上に把持力を与える。この把持力は、テンプルバーと衣料との間の相対的な動きを実質的に妨げる。
2006507538.tif 000002
【特許請求の範囲】
【請求項１】
眼鏡であって、以下：
中点を有するフレーム本体；
該フレーム本体の第１端に旋回可能に係合された第１のテンプルバー；
該フレーム本体の第２端に旋回可能に係合された第２のテンプルバー；
少なくとも１つの第１の磁気手段であって、該第１のテンプルバーが閉じるように旋回される場合に、該第１の磁気手段が、該フレーム本体の中点と整列しないように、該フレーム本体の第１端から少し離れて該第１のテンプルバーと係合された、第１の磁気手段；
少なくとも１つの第２の磁気手段であって、該第２のテンプルバーが閉じるように旋回される場合に、該第２の磁気手段が対応する第１の磁気手段と整列するように、該フレーム本体の第２端から少し離れて該第２のテンプルバーと係合された、第２の磁気手段；
を備え、ここで、
該第２の磁気手段が、少なくとも、該テンプルバーが閉じるように旋回される場合に、該対応する第１の磁気手段と磁石の引力により連絡しており；そして
該対応する第１および第２の磁気手段は、該テンプルバーが閉じられているものの、衣料によって隔てられている場合に、磁石の引力により連絡したままであり、該磁石の引力による連絡が、該テンプルバーと該衣料との間の相対的な動きを実質的に妨げるのに十分な把持力を該衣料に与えている、眼鏡。
【請求項２】
前記第１の磁気手段の各々が、少なくとも１つの第１の磁石を備え；かつ、前記第２の磁気手段の各々が、少なくとも１つの第２の磁石を備える、請求項１に記載の眼鏡。
【請求項３】
請求項１に記載の眼鏡であって、ここで：
前記第１の磁気手段の各々が、前記第１のテンプルバーの第１側面に係合された第１の磁石の半分と、対応する該第１の磁石の半分と磁石の引力により連絡している該第１のテンプルバーの第２側面と係合された第２の磁石の半分とを備え；かつ
前記該第２の磁気手段の各々が、前記第２のテンプルバーの第１側面に係合された第３の磁石の半分と、対応する該第３の磁石の半分と磁石の引力により連絡している該第２のテンプルバーの第２側面と係合された第４の磁石の半分とを備える、
眼鏡。
【請求項４】
前記磁気手段が、接着剤により前記テンプルバーと係合し、かつ、収縮包装チュービングにより適所に保持される、請求項１に記載の眼鏡。
【請求項５】
前記磁気手段が、ねじにより前記テンプルバーと係合する、請求項１に記載の眼鏡。
【請求項６】
前記磁気手段が、円形フレーム中で前記テンプルバーと係合する、請求項１に記載の眼鏡。
【請求項７】
前記円形フレームがループである、請求項６に記載の眼鏡。
【請求項８】
前記円形フレームが半ループである、請求項６に記載の眼鏡。
【請求項９】
前記チュービングが、０．０２０”ＯＤを有し、そして、収縮前に０．３５０”ＯＤを有する、請求項４に記載の眼鏡。
【請求項１０】
前記磁石が、ＭＧＯグレード３５  Ｎｅｏｄｙｍｉｕｍである、請求項３に記載の眼鏡。
【請求項１１】
前記磁気手段が、錆を防止するためにコーティングで覆われている、請求項１に記載の眼鏡。
【請求項１２】
前記磁気手段が、前記テンプルバーと係合するために、該磁気手段を通って延びる中空通路を備える、請求項１に記載の眼鏡。
【請求項１３】
前記磁気手段が、接着剤により前記テンプルバーと係合する、請求項１に記載の眼鏡。
【請求項１４】
前記磁気手段が、収縮包装チュービングにより前記テンプルバーと係合する、請求項１に記載の眼鏡。
【請求項１５】
眼鏡であって、以下：
中点を有するフレーム本体；
該フレーム本体の第１端に旋回可能に係合された第１のテンプルバー；
該フレーム本体の第２端に旋回可能に係合された第２のテンプルバー；
少なくとも１つの第１の磁石であって、該第１のテンプルバーが閉じるように旋回される場合に、該第１の磁石が、該フレーム本体の中点と整列しないように、該フレーム本体の第１端から少し離れて該第１のテンプルバーと係合されている、１つの第１の磁石；
少なくとも１つの第２の磁石であって、該第２のテンプルバーが閉じるように旋回される場合に、該第２の磁石が、対応する該第１の磁石と整列するように、該フレーム本体の第２端から少し離れて該第２のテンプルバーと係合されている、第２の磁石；
を備え、ここで、
該第２の磁石は、少なくとも該テンプルバーが閉じるように旋回される場合に、対応する該第１の磁石と磁石の引力により連絡しており；そして
該対応する第１および第２の磁石は、該テンプルバーが閉じられているものの、衣料によって隔てられている場合に、磁石の引力により連絡したままであり、該磁石の引力による連絡が、該テンプルバーと該衣料との間の相対的な動きを実質的に妨げるのに十分な把持力を該衣料に与えている、眼鏡。
【請求項１６】
請求項１５に記載の眼鏡であって、以下：
前記第１の磁石の各々が、前記第１のテンプルバーの第１側面上に係合された第１の磁石の半分と、該第１のテンプルバーの第２側面上に係合された第２の磁石の半分とを備え、対応する該第１および第２の磁石の半分が、磁石の引力により連絡しており；かつ
前記第２の磁石の各々が、前記第２のテンプルバーの第１側面上に係合された第３の磁石の半分と、該第２のテンプルバーの第２側面上に係合された第４の磁石の半分とを備え、対応する該第３および第４の磁石の半分が、磁石の引力により連絡している、眼鏡。
【請求項１７】
前記磁石が、接着剤により前記テンプルバーと係合し、かつ、収縮包装チュービングにより適所に保持されている、請求項１５に記載の眼鏡。
【請求項１８】
前記チュービングが、０．０２０”ＯＤを有し、そして、収縮前に、０．３５０”ＯＤを有する、請求項１７に記載の眼鏡。
【請求項１９】
前記磁石の各々が、前記テンプルバーと係合するために、該磁石を通って延びる中空通路を備える、請求項１５に記載の眼鏡。
【請求項２０】
前記磁石が、接着剤により前記テンプルバーと係合する、請求項１５に記載の眼鏡。
【請求項２１】
前記磁石が、収縮包装チュービングにより前記テンプルバーと係合する、請求項１５に記載の眼鏡。
【請求項２２】
前記磁石が、ねじにより前記テンプルバーと係合する、請求項１５に記載の眼鏡。
【請求項２３】
前記磁石が、円形フレーム中で前記テンプルバーと係合する、請求項１５に記載の眼鏡。
【請求項２４】
前記円形フレームがループである、請求項２３に記載の眼鏡。
【請求項２５】
前記円形フレームが半ループである、請求項２３に記載の眼鏡。
【請求項２６】
前記磁石が、ＭＧＯグレード３５  Ｎｅｏｄｙｍｉｕｍである、請求項１６に記載の眼鏡。
【請求項２７】
前記磁石が、錆を防止するためにコーティングで覆われている、請求項１５に記載の眼鏡。
【請求項２８】
眼鏡のためのクラスプであって、該眼鏡は、第１端および第２端ならびに中点を有するフレーム本体、第１のテンプルバーおよび第２のテンプルバーを有し、該テンプルバーは、該フレーム端で該フレーム本体に旋回可能に係合されており、該クラスプは、以下：
少なくとも１つの第１の磁石であって、該第１のテンプルバーが閉じるように旋回される場合に、該第１の磁石が該フレーム本体の中点と整列しないように、該フレーム本体の第１端から少し離れて該第１のテンプルバーと係合可能である、第１の磁石；
少なくとも１つの第２の磁石であって、該第２のテンプルバーが閉じるように旋回される場合に、該第２の磁石が対応する該第１の磁石と整列するように、該眼用フレーム本体から少し離れて該第２のテンプルバーと係合可能である、第２の磁石；
を備え、ここで、
該第２の磁石は、少なくとも、該テンプルバーが閉じるように旋回される場合に、対応する該第１の磁石と磁石の引力により連絡しており；かつ
該テンプルバーが閉じられているものの、衣料により隔てられている場合に、対応する該第１および第２の磁石が、磁石の引力により連絡したままであり、該磁石の引力による連絡が、該テンプルバーと該衣料との間の相対的な動きを実質的に妨げるのに十分な把持力を該衣料に与えている、クラスプ。
【請求項２９】
請求項２８に記載のクラスプであって、ここで：
前記第１の磁石の各々が、前記第１のテンプルバーの第１側面上に係合可能な第１の磁石の半分と、該第１のテンプルバーの第２側面上に係合可能な第２の磁石の半分とを備え、対応する該第１および第２の磁石の半分が、磁石の引力により連絡しており；かつ
前記第２の磁石の各々が、前記第２のテンプルバーの第１側面上に係合可能な第３の磁石の半分と、該第２のテンプルバーの第２側面上に係合可能な第４の磁石の半分とを備え、対応する該第３および第４の磁石の半分が、磁石の引力により連絡している、クラスプ。
【請求項３０】
前記磁石が、接着剤により前記テンプルバーと係合し、かつ、収縮包装チュービングにより適所に保持されている、請求項２８に記載のクラスプ。
【請求項３１】
前記チュービングが０．０２０”ＯＤを有し、かつ、収縮前に０．３５０”ＯＤを有する、請求項３０に記載のクラスプ。
【請求項３２】
前記磁石の各々が、前記テンプルバーと係合するために、該磁石を通って延びる中空通路を備える、請求項２８に記載のクラスプ。
【請求項３３】
前記磁石が、接着剤により前記テンプルバーと係合する、請求項２８に記載のクラスプ。
【請求項３４】
前記磁石が、収縮包装チュービングにより前記テンプルバーと係合する、請求項２８に記載のクラスプ。
【請求項３５】
前記磁石が、ねじにより前記テンプルバーと係合する、請求項２８に記載のクラスプ。
【請求項３６】
前記磁石が、円形フレーム中で前記テンプルバーと係合する、請求項２８に記載のクラスプ。
【請求項３７】
前記円形フレームがループである、請求項３６に記載のクラスプ。
【請求項３８】
前記円形フレームが半ループである、請求項３６に記載のクラスプ。
【請求項３９】
前記磁石が、ＭＧＯグレードＮｅｏｄｙｍｉｕｍである、請求項２９に記載のクラスプ。
【請求項４０】
前記磁石が、錆を防止するためにコーティングにより覆われている、請求項２８に記載のクラスプ。
【請求項４１】
眼鏡を衣料に係合する方法であって、該方法は、以下：
眼鏡を提供する工程であって、該眼鏡は、以下：
中点を有するフレーム本体；
該フレーム本体の第１端に旋回可能に係合された第１のテンプルバー；
該フレーム本体の第２端に旋回可能に係合された第２のテンプルバー；
少なくとも１つの第１の磁石であって、該第１のテンプルバーが閉じるように旋回される場合に、該第１の磁石が、該フレーム本体の中点と整列しないように、該フレーム本体の第１端から少し離れて該第１のテンプルバーに係合されている、第１の磁石；および
少なくとも１つの第２の磁石であって、該第２のテンプルバーが閉じるように旋回される場合に、該第２の磁石が、対応する該第１の磁石と整列するように、該フレーム本体の第２端から少し離れて該第２のテンプルバーに係合されている、第２の磁石
を備える、工程；
該閉じた位置まで該第１のテンプルバーを旋回させる工程；
該フレーム本体および第１のテンプルバーを該衣料の一方の側面上に位置付ける工程；
該第２のテンプルバーが、該フレーム本体および第１のテンプルバーとは異なる該衣料の他方の側面になるように、該第２のテンプルバーを該閉じた位置まで旋回させる工程；ならびに
該衣料を通じて磁石の引力により連絡する、対応する該第１および第２の磁石からの把持力を該衣料に与える工程
を包含する、方法。
【請求項４２】
眼鏡を衣料に係合する方法であって、該方法は、以下：
眼鏡を提供する工程であって、該眼鏡は、以下：
中点を有するフレーム本体；
該フレーム本体の第１端に旋回可能に係合された第１のテンプルバー；
該フレーム本体の第２端に旋回可能に係合された第２のテンプルバー；
少なくとも１つの第１の引力性の手段であって、該第１のテンプルバーが閉じるように旋回される場合に、該第１の引力性の手段が、該フレーム本体の中点と整列しないように、該フレーム本体の第１端から少し離れて該第１のテンプルバーに係合されている、第１の引力性の手段；および
少なくとも１つの第２の引力性の手段であって、該第２のテンプルバーが閉じるように旋回される場合に、該第２の引力性の手段が、対応する該第１の引力性の手段と整列するように、該フレーム本体の第２端から少し離れて該第２のテンプルバーに係合されている、第２の引力性の手段
を備える、工程；
該閉じた位置まで該第１のテンプルバーを旋回させる工程；
該フレーム本体および第１のテンプルバーを該衣料の一方の側面上に位置付ける工程；
該第２のテンプルバーが、該フレーム本体および第１のテンプルバーとは異なる該衣料の他方の側面になるように、該第２のテンプルバーを該閉じた位置まで旋回させる工程；ならびに
該衣料を通じて互いに引き付け合う、対応する該第１および第２の引力性の手段からの把持力を該衣料に与える工程
を包含する、方法。
【請求項４３】
前記第１および第２の引力性の手段が、磁石である、請求項４２に記載の方法。
【請求項４４】
眼鏡のためのクラスプであって、該眼鏡は、第１端および第２端ならびに中点を備えるフレーム本体、第１のテンプルバーおよび第２のテンプルバーを備え、該第１および第２のテンプルバーが、それぞれ、第１および第２のばね作用ヒンジにより該フレームの端において該フレーム本体に旋回可能に係合されており、該クラスプは、以下：
少なくとも１つの第１の磁石であって、該第１のテンプルバーが閉じるように旋回される場合に、該第１の磁石が該フレーム本体の中点と整列しないように、該フレーム本体の第１端から少し離れて該第１のテンプルバーに係合されている、第１の磁石；
少なくとも１つの第２の磁石であって、該第２のテンプルバーが閉じるように旋回される場合に、該第２の磁石が対応する該第１の磁石と整列するように、該フレーム本体から少し離れて該第２のテンプルバーと係合されている、第２の磁石；
を備え、ここで、
該第２の磁石は、少なくとも、該テンプルバーが閉じるように旋回される場合に、対応する該第１の磁石と磁石の引力により連絡しており；かつ
該テンプルバーが閉じられているものの、衣料により隔てられている場合に、対応する該第１および第２の磁石が、磁石の引力により連絡したままであり、該磁石の引力による連絡が、該テンプルバーと該衣料との間の相対的な動きを実質的に妨げるのに十分な把持力を該衣料に与えている、クラスプ。
【請求項４５】
請求項４４に記載のクラスプであって、ここで：
前記第１の磁石の各々が、前記第１のテンプルバーの第１側面上に係合可能な第１の磁石の半分と、該第１のテンプルバーの第２側面上に係合可能な第２の磁石の半分とを備え、対応する該第１および第２の磁石の半分が、磁石の引力により連絡しており；かつ
前記第２の磁石の各々が、前記第２のテンプルバーの第１側面上に係合可能な第３の磁石の半分と、該第２のテンプルバーの第２側面上に係合可能な第４の磁石の半分とを備え、対応する該第３および第４の磁石の半分が、磁石の引力により連絡している、クラスプ。
【請求項４６】
前記磁石が、接着剤により前記テンプルバーと係合し、かつ、収縮包装チュービングにより適所に保持されている、請求項４４に記載のクラスプ。
【請求項４７】
前記チュービングが０．０２０”ＯＤを有し、かつ、収縮前に０．３５０”ＯＤを有する、請求項４６に記載のクラスプ。
【請求項４８】
前記磁石が、前記テンプルバーと係合するために、磁気手段を通って延びる中空通路を備える、請求項４４に記載のクラスプ。
【請求項４９】
前記磁石が、接着剤により前記テンプルバーと係合する、請求項４４に記載のクラスプ。
【請求項５０】
前記磁石が、収縮包装チュービングにより前記テンプルバーと係合する、請求項４４に記載のクラスプ。
【請求項５１】
前記磁石が、ねじにより前記テンプルバーと係合する、請求項４４に記載のクラスプ。
【請求項５２】
前記磁石が、円形フレーム中で前記テンプルバーと係合する、請求項４４に記載のクラスプ。
【請求項５３】
前記円形フレームがループである、請求項５２に記載のクラスプ。
【請求項５４】
前記円形フレームが半ループである、請求項５２に記載のクラスプ。
【請求項５５】
前記磁石が、ＭＧＯグレード３５  Ｎｅｏｄｙｍｉｕｍである、請求項４５に記載のクラスプ。
【請求項５６】
前記磁石が、錆を防止するためにコーティングにより覆われている、請求項４４に記載のクラスプ。
【請求項５７】
眼鏡のためのクラスプであって、該眼鏡は、第１端および第２端ならびに中点を有するフレーム本体を有し、該クラスプは、以下：
該フレーム本体の第１端への係合のための第１のテンプルバー；
該フレーム本体の第２端への係合のための第２のテンプルバー；
少なくとも１つの第１の磁石であって、該第１のテンプルバーが閉じるように旋回される場合に、該第１の磁石が該フレーム本体の中点と整列しないように、該フレーム本体の第１端から少し離れて該第１のテンプルバーに係合されている、第１の磁石；
少なくとも１つの第２の磁石であって、該第２のテンプルバーが閉じるように旋回される場合に、該第２の磁石が対応する該第１の磁石と整列するように、該フレーム本体から少し離れて該第２のテンプルバーと係合されている、第２の磁石；
を備え、ここで、
該第２の磁石は、少なくとも、該テンプルバーが閉じるように旋回される場合に、対応する該第１の磁石と磁石の引力により連絡しており；かつ
該テンプルバーが閉じられているものの、衣料により隔てられている場合に、対応する該第１および第２の磁石が、磁石の引力により連絡したままであり、該磁石の引力による連絡が、該テンプルバーと該衣料との間の相対的な動きを実質的に妨げるのに十分な把持力を該衣料に与えている、クラスプ。
【請求項５８】
請求項５７に記載のクラスプであって、ここで：
前記第１の磁石の各々が、前記第１のテンプルバーの第１側面上に係合可能な第１の磁石の半分と、該第１のテンプルバーの第２側面上に係合可能な第２の磁石の半分とを備え、対応する該第１および第２の磁石の半分が、磁石の引力により連絡しており；かつ
前記第２の磁石の各々が、前記第２のテンプルバーの第１側面上に係合可能な第３の磁石の半分と、該第２のテンプルバーの第２側面上に係合可能な第４の磁石の半分とを備え、対応する該第３および第４の磁石の半分が、磁石の引力により連絡している、クラスプ。
【請求項５９】
前記磁石が、接着剤により前記テンプルバーと係合し、かつ、収縮包装チュービングにより適所に保持されている、請求項５７に記載のクラスプ。
【請求項６０】
前記チュービングが０．０２０”ＯＤを有し、かつ、収縮前に０．３５０”ＯＤを有する、請求項５９に記載のクラスプ。
【請求項６１】
前記磁石が、前記テンプルバーを係合するために、磁気手段を通って延びる中空通路を備える、請求項５７に記載のクラスプ。
【請求項６２】
前記磁石が、接着剤により前記テンプルバーと係合する、請求項５７に記載のクラスプ。
【請求項６３】
前記磁石が、収縮包装チュービングにより前記テンプルバーと係合する、請求項５７に記載のクラスプ。
【請求項６４】
前記磁石が、ねじにより前記テンプルバーと係合する、請求項５７に記載のクラスプ。
【請求項６５】
前記磁石が、円形フレーム中で前記テンプルバーと係合する、請求項５７に記載のクラスプ。
【請求項６６】
前記円形フレームがループである、請求項６５に記載のクラスプ。
【請求項６７】
前記円形フレームが半ループである、請求項６５に記載のクラスプ。
【請求項６８】
前記磁石が、ＭＧＯグレード３５  Ｎｅｏｄｙｍｉｕｍである、請求項５８に記載のクラスプ。
【請求項６９】
前記磁石が、錆を防止するためにコーティングにより覆われている、請求項５７に記載のクラスプ。
【発明の詳細な説明】
【技術分野】
【０００１】
（発明の背景）
（発明の分野）
本発明は、改善された眼鏡に関連する。より具体的には、本発明は、眼鏡を使用しないときに、眼鏡をポケットまたは衣料の別の部分に維持するためのオフセット眼鏡クラスプに関連する。
【背景技術】
【０００２】
（関連技術の説明）
代表的な眼鏡は、ブリッジ（ｎｏｓｅ  ｐｉｅｃｅ）のいずれかの側に、２枚のレンズを収容するフレーム本体から構成される。フレーム本体に取り付けられるのは、フレーム本体の２つの端から延びる２つのテンプルバーである。テンプルバーは、フレーム本体と垂直な開いた位置と、フレーム本体と平行な閉じた位置との間で旋回する。テンプルバーおよびブリッジは、使用者の頭部にフレームを支持する。
【０００３】
個人はしばしば、眼鏡を一時的に外す。彼らは、眼鏡をたたみ、どこにやったかを思い出さなかったり、首から吊り下げて、胸部に対して跳ね返ったり、ポケットの中に入れて、落としたり、そして／または壊したりすることがある。
【０００４】
この問題を解決するために、先行技術は、眼鏡を使用者によって着用される衣服に眼鏡を挟むために機械的クラスプを使用することを教示する。これらは、扱いにくく、かつ、あらゆる機械的クラスプと同様に、緩くなり得る。いくつかの機械的クラスプはまた、シャツのポケット、帽子のつば、ベルト、ホルダー、ストラップなどの性能に依存する。さらに、クリップは、最初はよく機能し得るが、疲労により、金属製のクリップが、弱くなり、かつ、その眼鏡をしっかりと保持する能力を失い得る。さらに、クリップは壊れ得、それによって、眼鏡が、緩くなったり、落ちたり、壊れたりするか、または、無くなったりする。ＭｃＣｏｒｍｉｃｋに対する米国特許第６，０１７，１２０号は、テンプルバーの蝶番のある端に取り付けられた機械的クリップを教示する。このような機械的クリップを使用する眼鏡は、逆さになる場合（例えば、人間が、腰を曲げる場合）に、適所にはしっかりと保持され得ない。このようなクリップに関する別の問題は、座っている人間が前かがみになり、クラスプがシャツのポケット内にあるまま、眼鏡が上向きに押し出される際に生じる。この状況において、クリップは、ポケットの底から押し出され得、それによって、クリップが外れて、眼鏡がポケットから落ちる。
【０００５】
種々の目的のために、眼鏡フレームに磁石を使用することがまた、当該分野で周知である。例えば、多数の眼鏡フレームは、健康上の利益のために、使用者に磁気を帯びさせる磁石を有する。他の眼鏡フレームは、眼鏡フレームセクションを一緒に保持し、それによって、補助フレーム、レンズなどを用いる新しい配置における分解および再構築を容易にするために、磁石を使用する。Ｄｕｐｒａｚらに対する米国特許第６，１６８，２７３  Ｂｌｌ号は、磁気手段を有する支持物品上に眼鏡を一時的に固定するための、眼鏡フレーム上での磁石の使用を教示する。けれども、Ｄｕｐｒａｚらにおける磁石は、ヒンジの近くのテンプルバーに取り付けられているので、その教示は、磁気クラスプとしての使用ではなく、このような磁気クラスプとしても意図されていない。
【発明の開示】
【課題を解決するための手段】
【０００６】
（実施形態の要旨）
眼鏡のクラスプの１つの実施形態は、眼鏡のテンプルバーに係合された磁石を含む。磁石は、閉じた位置にある場合に、互いには整列するが、フレーム本体の中点とは整列しないように、各テンプルバー上で、眼鏡フレーム本体から異なる距離離れて位置付けられる。磁石は、少なくとも、テンプルバーが閉じた位置にある場合に、磁石の引力により連絡している。磁石は、テンプルバー上を磁石がスライドするのに十分長い、磁石を通って延びる中空の空間を備える。
【０００７】
クラスプは、代表的には、閉じた位置へとテンプルバーの一方を旋回することによって使用される。次いで、フレーム本体および閉じたテンプルバーが、衣料（例えば、非限定的な例として、シャツのポケットまたは袖）の片側に位置付けられる。次いで、第２のテンプルバーが、衣料の他の側にくるように、閉じた位置へと旋回される。次いで、磁石が、磁石の引力により連絡し、衣料に把持力を与える。把持力は、テンプルバーと衣料との間の相対的な動きを実質的に妨げる。磁石が、衣料を通して磁石の引力により連絡するのに十分強力であり得る場所のいずれにおいても、容易に開閉し得る、オフセット磁気クラスプは、これにより、強力な汎用性のあるクラスプの利点を導入しつつ、機械的クリップの不利益を排除する。
【０００８】
眼鏡の別の実施形態において、一方のテンプルバー上に、１つ以上の磁石が存在し、対応する数の磁石が、他方のテンプルバー上に存在する。
【０００９】
眼鏡の別の実施形態において、磁石は、テンプルバー自体の特定の配置を係合する。
【００１０】
別の実施形態において、テンプルバー上の磁石の各々は、テンプルバーのいずれかの側に２つの磁石の「半分」を備える。磁石は、互いに磁石の引力により連絡させることによって、テンプルバーと係合する。磁石の「半分」はまた、接着剤の使用によりテンプルバーと係合し、収縮包装チュービングにより適所に保持され得る。磁石の「半分」はまた、ねじの使用によりテンプルバーと係合し得る。
【００１１】
別の実施形態において、少なくとも１つの磁石は、長方形であり、テンプルバーの頂部に位置付けられる。テンプルバーの頂部にある磁石の１つの位置は、眼鏡が閉じた位置まで旋回される場合に、磁石上にかかる衝撃を減らす。
【００１２】
眼鏡クラスプの実施形態は、完全な眼鏡、磁気手段が取り付けられたテンプルバー、または磁気手段および磁気手段をテンプルバーに取り付ける手段を含むキットの形態であり得、テンプルバーまたは他の眼鏡の構成要素はあってもなくてもよい。
【００１３】
従って、この実施形態は、先行技術のデバイスの種々の問題点を克服することを可能にする特徴および利点の組合せを包含する。上記の種々の特徴ならびに他の特徴は、この実施形態の以下の詳細な説明を読み、添付の図面を参照することによって、当業者に容易に理解される。
【発明を実施するための最良の形態】
【００１４】
（実施形態の詳細な説明）
本発明は、眼鏡のクラスプに関連し、異なる形態の実施形態も可能である。添付の図面および以下の説明は、本開示が、本発明の原理の例示とみなされ、本開示に例示および記載される本発明に限定することが意図されないという理解を以って、本発明の特定の実施形態を詳細に開示する。さらに、以下に議論される実施形態の異なる教示は、所望の結果を生じるために、別個に、または、任意に適切に組み合わされて使用され得る。
【００１５】
まず、図１Ａ〜１Ｄを参照して、眼鏡のクラスプ１０４の実施形態が示される。右のテンプルバー１００および左のテンプルバー１０２は、任意の適切な手段によって、眼鏡フレーム本体１１４へと旋回可能に取り付けられる。代表的に、テンプルバー１０２、１０３は、当該分野で周知のばね作用ヒンジにより旋回可能に取り付けられる。テンプルバー１００、１０２は、眼鏡フレーム本体１１４に対して垂直な開位置と、フレーム本体１１４に対して平行な閉位置との間を旋回する。開位置にある場合、テンプルバーは、図１Ａに例示されるような角ばった「Ｕ」形状を形成する。さらに、テンプルバー１００は、耳づる１２０を備え、テンプルバー１０２は、耳づる１２２を備える。フレーム本体１１４はまた、ブリッジ１１２を供え、中点１１０を有する。第１の磁気手段１０６は、テンプルバー１００と係合し、第２の磁気手段１０８は、テンプルバー１０２と係合し、その結果、図１Ａにおける「Ｕ」の外側に向く、磁気手段１０６、１０８の極性は、同じになる。磁気手段１０６、１０８は、テンプルバー１００、１０２上で、眼鏡フレーム本体１１４から異なる距離だけ離れて位置され、その結果、これらの磁気手段は、テンプルバー１００、１０２が閉じた位置にある場合に、互いには整列するが、眼鏡フレーム本体の中点１１０とは整列しない。従って、図１Ｄに例示されるように、テンプルバー１００、１０２が閉じるように旋回される場合、磁気手段１０６、１０８は、磁気手段１０６、１０８の反対の極により生成される磁石の引力により連絡している。図１Ｄは、右のテンプルバー１００の内側に折り畳まれた左のテンプルバー１０２を示す。従って、時期手段１０６のＳ極側１１６は、磁気手段１０８のＮ極側１１８と面して整列し、それによって、テンプルバーを閉じた位置にしっかりと保持する。
【００１６】
磁気手段１０６、１０８をテンプルバー１００、１０２に取り付けるための手段は、テンプルバーが作製される材料に依存する。任意の適切な方法が、磁気手段をテンプルバーに係合するために使用され得ることが理解されるべきである。このような種々のテンプルバー材料についての取付手段は、非限定的な例として、溝付きの手段、接着剤手段、収縮包装チュービング、蝶番のあるクリップ、金属クランプ、ねじ切り式の金物類など、および／またはこれらの組合せが挙げられる。図１Ａ〜１Ｄに示されるように、磁気手段１０６、１０８は、テンプルバー１００、１０２全体にフィットするように十分大きな、磁気手段を通って延びる中空の空間を有する。中空の磁気手段は代表的に、耳づる１２０、１２２を取り外し、中空の磁気手段をテンプルバー１００、１０２上でスライドさせ、次いで、耳づる１２０、１２２を元に戻すことによって導入される。さらに、磁気手段１０６、１０８は、多数の手段（非限定的な例としては、亜鉛、ニッケル、銅、金、異なる色のエポキシ、クロム酸アルミニウムおよび／または異なる型の塗装のコーティングが挙げられる）によって腐食作用から保護され得る。
【００１７】
眼鏡のクラスプ１０４は、完全なセットの眼鏡に限定されないが、磁気手段を取り付けられたテンプルバー、磁気手段および磁気手段をテンプルバーに取り付けるための手段を含むキットをまた含み得、テンプルバーまたはその中の他の眼鏡の構成要素はあってもなくてもよい。
【００１８】
ここで、図２Ａおよび２Ｂを参照して、眼鏡のクラスプ２０４の実施形態が示される。クラスプ２０４は、任意の適切な手段によって、眼鏡フレーム本体２１４に旋回可能に取り付けられた、右のテンプルバー２００および左のテンプルバー２０２を備える。代表的に、テンプルバー２００、２０２は、当該分野で周知のばね作用ヒンジによって旋回可能に取り付けられる。テンプルバー２００、２０２は、眼鏡フレーム本体２１４に対して垂直な開位置と、フレーム本体１４に対して平行な閉位置との間で旋回する。開位置にある場合、テンプルバーは、図２Ａに例示するような角ばった「Ｕ」形状を形成する。さらに、テンプルバー２００は、耳づる２２０を備え、テンプルバー２０２は、耳づる２２２を備える。フレーム本体２１４はまた、ブリッジ２１２を供え、中点２１０を有する。第１の磁気手段２０６は、テンプルバー２００と係合し、第２の磁気手段２０８は、テンプルバー２０２と係合し、その結果、図２Ａにおける「Ｕ」の外側に向く磁気手段２０６、２０８の極性は、同じである。磁気手段２０６、２０８は、テンプルバー２００、２０２上で、眼鏡フレーム本体２１４から異なる距離だけ離れて位置付けられ、その結果、これらの磁気手段は、テンプルバー２００、２０２が閉位置にある場合、互いには整列するが、眼鏡フレーム本体の中点２１０とは整列しない。同様に、第３の磁気手段２０７がテンプルバー２００と係合し、第４の磁気手段２０９がテンプルバー２０２と係合し、その結果、図２Ａの「Ｕ」において外側に向く第３および第４の磁気手段２０７、２０９の極性は、同じである。第３および第４の磁気手段２０７、２０９は、テンプルバー２００、２０２上で、眼鏡フレーム本体から異なる距離だけ離れて位置され、その結果、テンプルバー２００、２０２が閉位置にある場合、互いにには整列するが、フレーム本体の中点２１０とは整列しない。従って、テンプルバー２００、２０２が閉じるように旋回される場合、磁気手段２０６、２０８は、磁気手段２０６、２０８の反対の極により生成される磁石の引力により連絡し、それによって、テンプルバー２００、２０２を閉位置にしっかりと保持する。同様に、テンプルバー２００、２０２が閉じるように旋回される場合、磁気手段２０７、２０９は、磁気手段２０７、２０９の反対の極により生成される磁石の引力により連絡し、それによって、また、テンプルバー２００、２０２を閉位置にしっかりと保持する。
【００１９】
眼鏡のクラスプ２０４は、完全なセットの眼鏡に限定されないが、磁気手段を取り付けられたテンプルバー、磁気手段および磁気手段をテンプルバーに取り付けるための手段を含むキットをまた含み得、テンプルバーまたはその中の他の眼鏡の構成要素はあってもなくてもよい。
【００２０】
ここで、図３Ａ〜３Ｄを参照して、眼鏡のクラスプ１０４の他の実施形態のテンプルバー３０４、３１０および３１６が示される。図３Ａおよび３Ｂは、テンプルバー３０４における半ループ３０２によりテンプルバー３０４に係合された磁気手段３００を示す。図３Ｃおよび３Ｄにおいて、第１の磁石３０６は、テンプルバー３１０の完全なループ３０８と係合し、第２の磁石は、テンプルバー３１６の完全なループ３１４と係合する。磁石３０６、３１２の極性は、テンプルバー３１０、３１６が、図３Ｄに示されるように閉位置にある場合、反対である。従って、磁石３０６、３１２は、その反対の極により生成される磁力により互いに引き付けられる。テンプルバー３０４の半ループ３０２およびテンプルバー３１０、３１６の完全なループ３０８は、図１Ｄに示されるように、それぞれのテンプルバー上の磁石３００、３０６、３１２が、テンプルバーが閉位置にある場合に、互いに整列するが、ブリッジ１１２の中点１１０とは整列しないように位置付けられる。半ループ３０２および全ループ３０８、３１４のサイズは、それぞれ、磁石３００、３０６および３１２の直径を収容するように選択され得、これらは、接着剤手段によって、または、任意の他の適切な手段によって、適所に保持され得る。
【００２１】
図３Ａ〜３Ｄに例示されるように、磁気手段と係合するための手段は、磁石の取付を収容するように、既存の眼鏡のテンプルバーを改変することを必要とし得る。従って、眼鏡のクラスプは、眼鏡の完全なセットには限定されないが、磁気手段を取り付けられたテンプルバー、磁気手段および磁気手段をテンプルバーに取り付けるための手段を含むキットをまた含み得、テンプルバーまたはその中の他の眼鏡の構成要素はあってもなくてもよい。
【００２２】
ここで図４Ａ〜４Ｅを参照して、眼鏡のクラスプ４１２の別の実施形態が示される。図４Ａにおいて、第１の磁石の半分４００および第２の磁石の半分４０２は、フレーム本体４２６のテンプルバー４０８と係合する。第３の磁石の半分４０４および第４の磁石の半分４０６は、テンプルバー４１０と係合する。磁石の半分４００、４０２は、左のテンプルバー４０８を係合し、その結果、磁石の半分４００のＮ極側４１４は、磁石の半分４０２のＳ極側４１６と面して整列する。同様に、磁石の半分４０４、４０６は、右のテンプルバー４１０と係合し、その結果、磁石の半分４０６のＮ極側４１８が、磁石の半分４０４のＳ極側４２０と面して整列する。図１においてのように、磁石の半分４００、４０２、４０４および４０６は、フレーム本体４２６から、テンプルバー４０８上で異なる長さに位置付けられ、その結果、テンプルバー４０８、４１０が閉じられる場合、磁石の半分４００、４０２、４０４および４０６は、互いには整列するが、フレーム本体４２６の中点４２２とは整列しない。図４Ｂおよび４Ｃにおいて、磁石の半分４００、４０２は、収縮包装チュービング４２８によりテンプルバー４０８と係合する。しかし、図４Ｄおよび４Ｅにおいて、磁石の半分４０４、４０６は、ねじ４３０によりテンプルバー４１０と係合する。上記のように、テンプルバー４０８および４１０が作製される材料に適切な種々の係合手段が使用され得ることが理解されるべきである。
【００２３】
図４Ａ〜４Ｅにおいて例示されるように、テンプルバー４０８、４１０は、どのテンプルバーがまず閉じているかにも関わらず、磁気手段間の磁力が働くように、改変される必要はない。従って、この実施形態は、磁気手段を備える２つのテンプルバーを備えるか、または、キットとして販売される場合は、この実施形態は、４つの磁石および既存のテンプルバーへの１対の磁石の取付手段を備え得る。
【００２４】
ここで、図５Ａ〜５Ｃを参照して、眼鏡のクラスプ１０４の別の実施形態のテンプルバー５０２が示される。クラスプ１０４は、テンプルバー５０２にトリ杖けられた長方形の磁石５００および図１に示されるテンプルバー１００上の磁気手段１０６を備える。磁石５００は、テンプルバー５０２が閉位置に旋回される場合、磁気手段１０６とは整列するが、フレーム本体の中点１１０とは整列しない。磁石の極性５００は、両方のテンプルバー１００、５０２が閉位置に旋回される場合に、磁石５００が、図１のテンプルバー１００上の磁気手段１０６へと引き付けられるようになる。磁石５００は、長方形であり、テンプルバー１００、５０２が閉位置に旋回される場合に、磁石５００を、磁気手段１０６との激しい接触から保護するように、テンプルバー５０２の頂部に配置される。激しい接触から保護することによって、磁気手段１０６および磁石５００は、壊れたり、テンプルバー１００、５０２から分解されたりする可能性がなくなる。磁気手段１０６および磁石５００は、いずれかのテンプルバーと係合し得、これらは、依然として、本発明の範囲内であり得ることが理解されるべきである。
【００２５】
ここで図６を参照して、眼鏡のクラスプ１０４の左のテンプルバー６００および右のテンプルバー６０２は、閉位置へと旋回される。左のテンプルバー６００は、衣料６０４の外側に位置付けられる。右のテンプルバー６０２は、衣料６０４の内側に位置付けられる。従って、衣料６０４は、テンプルバー６００と６０２との間に位置付けられる。使用の間に、使用者は、テンプルバー６００、６０２のうちの１つを閉位置に旋回する。次いで、使用者は、眼鏡フレーム本体１１４および閉じたテンプルバーを衣料６０４の片側に位置付ける。次いで、使用者は、他方のテンプルバーを閉位置に旋回させ、その結果、衣料６０４の他の側にくる。磁気手段６０８のＳ極側６０６は、磁気手段６１２のＮ極側６１０と面して整列する。衣料６０４のいずれの側にあっても、時期手段６０８、６１２は、互いに磁石の引力により連絡している。磁石の引力による連絡は、衣料６０４に把持力を与え、それによって、眼鏡６１４を慰労６０４にしっかりと止めて保持するのに十分強い。把持力は、テンプルバー６００、６０２が閉位置にある間、テンプルバー６００、６０２と衣料６０４との間の相対的な動きを実質的に妨げる。磁気手段６０８、６１２は、眼鏡６１４が軋んでいる場合でさえ、眼鏡６１４を適所に保つほど十分に強い。磁気手段６０８、６１２はまた、この強度を維持し得る。これは、磁束が、反復使用によって損なわれないからである。テンプルバー６００、６０２のいずれかが、他方が閉位置に旋回される前に、閉位置に旋回され得、これは、依然として本発明の範囲内であり得ることが理解されるべきである。
【００２６】
ここで図７を参照して、眼鏡のクラスプ１０４が、衣料７１２の任意の部分を磁石的に把持することによって、眼鏡７０８をいかにして衣料７１２に止めるかが示される。図７において、反対の極の磁力が、それぞれ、テンプルバー７０４、７０６に取り付けられた磁気手段７００、７０２から発される。テンプルバー７０６を折り畳み、テンプルバー７０６およびフレーム本体７１４をポケット、折り襟、首襟などにスライドさせることによって、把持が達成される。次いで、使用者は、衣服７１０の外側のテンプルバー７０４を折り畳み、それによって、テンプルバー７０４、７６を、衣料７１２を通して磁石の引力により連絡するように配置する。あるいは、把持は、テンプルバー７０４、７０６のいずれかをポケット、折り襟、首襟などにスライドさせ、フレーム本体および衣服７１０の外側の他方のテンプルバーを折り畳むことによって達成され得る。さらに、把持は、テンプルバー７０４を折り畳み、テンプルバー７０４およびフレーム本体７１４を衣服７１０にスライドさせることによって達成され得る。次いで、使用者は、テンプルバー７０６を衣服７１０の外側に折り畳む。テンプルバー７０４、７０６のいずれかが、他方が閉位置に旋回される前に、閉位置に旋回され得、これは、依然として、本発明の範囲内であり得ることが理解されるべきである。
【００２７】
本発明は、要するに、眼鏡自体を、任意の材料（この材料を通して、磁石は磁石の引力により連絡したままであり得る）上に把持するための手段として使用することによって、支持物品を使用することに関連する問題点を排除する。例えば、衣類に組み込まれた別個の支持物品は、洗濯および乾燥において扱いにくく、アイロンがけが困難であり、衣服の外観を変更するが、本発明は、これらの不利益を１つも有さない。さらに、先行技術において記載された、衣類に取り付ける機械的クリップとは異なり、本発明は、このようなクリップを、材料の端に取り付けるという要件によって制限されない。その代わりに、本発明のクラスプは、フレーム本体の蝶番の付いた端のみが、材料の端となるように、材料のいずれの場所をも通して引き付け合う。従って、例えば、本発明は、眼鏡が、ポケットにより深く把持されることを可能にするが、先行技術のクリップは、眼鏡の大部分がポケットの外側に突出することを必要とする。さらに、眼鏡は、衣料の端が置かれる位置とは無関係に取り付けられたままである。
【実施例】
【００２８】
（実施例１）
図４Ａ〜４Ｅにおける４つの磁石の実施形態であって、ここで、磁石４００、４０２、４０４、４０６はＭＧＯグレード３５  Ｎｅｏｄｙｍｉｕｍ（Ｎｄ−Ｆｅ−Ｂ）ディスク（直径０．２５”および厚さ０．１”）である。収縮包装チュービングは、収縮前に０．３５０”のＯＤ、０．０２０”の壁厚を有し、テンプルバー３０８、３１０に対して平行である。磁石４００、４０２、４０４、４０６は、４ｋＧの場を示し、外すためには４００ｇｍの負荷を必要とする。
【００２９】
（実施例２）
図４Ａ〜４Ｅにおける４つの磁石の実施形態であって、ここで、磁石４００、４０２、４０４、４０６は、ＭＧＯグレード３５  Ｎｅｏｄｙｍｉｕｍディスク（直径０．２５”および厚さ０．１”）である。収縮包装チュービングは、収縮前には、０．３５０”のＯＤ、０．０１０”の壁厚を有し、テンプルバー４０８、４１０に対して垂直である。磁石は、６ｋＧの場を示し、外すためには６００ｇｍの負荷を必要とする。
【００３０】
特定の実施形態が示され、かつ記載されたが、本発明の精神または教示から逸脱することなく、当業者により改変がなされ得る。記載されたような実施形態は、例示目的のみであり、限定的ではない。システムおよび装置の多くのバリエーションおよび改変が可能であり、これらは、本発明の範囲内である。従って、保護の範囲は、記載される実施形態には限定されず、添付の特許請求の範囲によってのみ制限され、特許請求の範囲は、請求項の対象物の全ての等価物を含むべきである。
【図面の簡単な説明】
【００３１】
実施形態のより詳細な説明のために、ここで、添付の図面に対して参照がなされるべきである。
【図１Ａ】図１Ａは、眼鏡が装着される場合のように、テンプルバーが開位置に旋回された、眼鏡のクラスプを組み込む眼鏡の底面図である。
【図１Ｂ】図１Ｂは、テンプルバーの片方が閉位置に旋回された、眼鏡のクラスプを組み込む眼鏡の斜視図である。
【図１Ｃ】図１Ｃは、テンプルバーの片方が閉位置に旋回された、眼鏡のクラスプを組み込む眼鏡の側面図である。
【図１Ｄ】図１Ｄは、テンプルバーが閉位置に旋回された、眼鏡のクラスプを組み込む眼鏡の底面図である。
【図２Ａ】図２Ａは、眼鏡のクラスプの、別の実施形態の底面図である。
【図２Ｂ】図２Ｂは、図２Ａの眼鏡のクラスプを組み込む眼鏡の斜視図である。
【図３Ａ】図３Ａは、磁石がテンプルバー中の半ループ内に保持された眼鏡のテンプルバーを示す、眼鏡のクラスプの別の実施形態の側面図である。
【図３Ｂ】図３Ｂは、磁石がテンプルバー中の半ループ内に保持された図３Ａの眼鏡のクラスプを組み込む、眼鏡のテンプルバーの底面図である。
【図３Ｃ】図３Ｃは、閉位置に旋回され、かつ、磁石がテンプルバー中のループ内に保持された図３Ａの眼鏡のクラスプを組み込む、眼鏡のテンプルバーの背面図である。
【図３Ｄ】図３Ｄは、閉位置に旋回され、かつ、磁石がテンプルバー中のループ内に保持された図３Ａの眼鏡のクラスプを組み込む、眼鏡のテンプルバーの底面図である。
【図４Ａ】図４Ａは、磁石が収縮包装チュービング内にある眼鏡のクラスプの別の実施携帯に従って構築された、眼鏡のクラスプを組み込む眼鏡のテンプルバーの側面図である。
【図４Ｂ】図４Ｂは、磁石が収縮包装チュービング内にある図４Ａの眼鏡のクラスプを組み込む、眼鏡のテンプルバーの底面図である。
【図４Ｃ】図４Ｃは、磁石が小さなねじによりテンプルバーに固定されている、図４Ａの眼鏡のクラスプを組み込む眼鏡のテンプルバーの上面図である。
【図４Ｄ】図４Ｄは、磁石が小さなねじによりテンプルバーに固定されている、図４Ａの眼鏡のクラスプを組み込む眼鏡のテンプルバーの側面図である。
【図４Ｅ】図４Ｅは、磁石が小さなねじによりテンプルバーに固定されている、図４Ａの眼鏡のクラスプを組み込む眼鏡のテンプルバーの底面図である。
【図５Ａ】図５Ａは、長方形の磁石を備える眼鏡のクラスプの別の実施形態を組み込む、眼鏡のテンプルバーの斜視図である。
【図５Ｂ】図５Ｂは、長方形の磁石を備える図５Ａの眼鏡のクラスプを組み込む、眼鏡のテンプルバーの側面図である。
【図５Ｃ】図５Ｃは、長方形の磁石を備える図５Ａの眼鏡のクラスプを組み込む、眼鏡のテンプルバーの上面図である。
【図６】図６は、テンプルバーが閉位置に旋回された、眼鏡のクラスプを組み込む眼鏡の底面図である。
【図７】図７は、衣料とのクラスプの使用を図示する、テンプルバーが閉位置に旋回された眼鏡のクラスプを組み込む眼鏡の底面図である。
2006507538.tif 000003
2006507538.tif 000004
2006507538.tif 000005
2006507538.tif 000006
2006507538.tif 000007
2006507538.tif 000008
2006507538.tif 000009
2006507538.tif 000010
【図６】
2006507538.tif 000011
【図７】
2006507538.tif 000012
【手続補正書】
【提出日】平成16年8月12日(2004.8.12)
【手続補正１】
【補正対象書類名】図面
【補正対象項目名】全図
【補正方法】変更
【補正の内容】
【図１Ａ】
2006507538.tif 000013
【図１Ｂ】
2006507538.tif 000014
【図１Ｃ】
2006507538.tif 000015
【図１Ｄ】
2006507538.tif 000016
【図２Ａ】
2006507538.tif 000017
【図２Ｂ】
2006507538.tif 000018
【図３Ａ】
2006507538.tif 000019
【図３Ｂ】
2006507538.tif 000020
【図３Ｃ】
2006507538.tif 000021
【図３Ｄ】
2006507538.tif 000022
【図４Ａ】
2006507538.tif 000023
【図４Ｂ】
2006507538.tif 000024
【図４Ｃ】
2006507538.tif 000025
【図４Ｄ】
2006507538.tif 000026
【図４Ｅ】
2006507538.tif 000027
【図５Ａ】
2006507538.tif 000028
【図５Ｂ】
2006507538.tif 000029
【図５Ｃ】
2006507538.tif 000030
【図６】
2006507538.tif 000031
【図７】
2006507538.tif 000032
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
眼鏡であって、以下：
中点を有するフレーム本体；
該フレーム本体の第１端に旋回可能に係合された第１のテンプルバー；
該フレーム本体の第２端と旋回可能に係合された第２のテンプルバー；
少なくとも１つの第１の中空の磁気手段であって、該第１のテンプルバーが閉じるように旋回される場合に、該第１の中空の磁気手段が、該フレーム本体の中点と整列しないように、該フレーム本体の第１端から少し離れて該第１のテンプルバーと係合された、第１の中空の磁気手段；
少なくとも１つの第２の中空の磁気手段であって、該第２のテンプルバーが閉じるように旋回される場合に、該第２の中空の磁気手段が対応する第１の中空の磁気手段と整列するように、該フレーム本体の第２端から少し離れて該第２のテンプルバーと係合された、第２の中空の磁気手段；
を備え、ここで、
該第２の中空の磁気手段が、少なくとも、該テンプルバーが閉じるように旋回される場合に、該対応する第１の中空の磁気手段と磁石の引力により連絡しており；そして
該対応する第１および第２の中空の磁気手段は、該テンプルバーが閉じられているものの、衣料によって隔てられている場合に、磁石の引力により連絡したままであり、該磁石の引力による連絡が、該テンプルバーと該衣料との間の相対的な動きを実質的に妨げるのに十分な把持力を該衣料に与えている、眼鏡。
【請求項２】
前記第１の中空の磁気手段の各々が、少なくとも１つの第１の磁石を備え；かつ、前記第２の中空の磁気手段の各々が、少なくとも１つの第２の磁石を備える、請求項１に記載の眼鏡。
【請求項３】
請求項１に記載の眼鏡であって、ここで：
前記第１の中空の磁気手段の各々が、前記第１のテンプルバーの第１側面に係合された第１の磁石の半分と、対応する該第１の磁石の半分と磁石の引力により連絡している該第１のテンプルバーの第２側面と係合された第２の磁石の半分とを備え；かつ
前記該第２の中空の磁気手段の各々が、前記第２のテンプルバーの第１側面に係合された第３の磁石の半分と、対応する該第３の磁石の半分と磁石の引力により連絡している該第２のテンプルバーの第２側面と係合された第４の磁石の半分とを備える、
眼鏡。
【請求項４】
前記中空の磁石が、ＭＧＯグレード３５  Ｎｅｏｄｙｍｉｕｍである、請求項３に記載の眼鏡。
【請求項５】
前記中空の磁気手段が、錆を防止するためにコーティングで覆われている、請求項１に記載の眼鏡。
【請求項６】
前記中空の磁気手段が、接着剤により前記テンプルバーと係合する、請求項１に記載の眼鏡。
【請求項７】
前記中空の磁気手段が、収縮包装チュービングにより前記テンプルバーと係合する、請求項１に記載の眼鏡。
【請求項８】
眼鏡のためのクラスプであって、該眼鏡は、第１端および第２端ならびに中点を有するフレーム本体、第１のテンプルバーおよび第２のテンプルバーを有し、該テンプルバーは、該フレーム端で該フレーム本体に旋回可能に係合されており、該クラスプは、以下：
少なくとも１つの第１の中空の磁石であって、該第１のテンプルバーが閉じるように旋回される場合に、該第１の中空の磁石が該フレーム本体の中点と整列しないように、該フレーム本体の第１端から少し離れて該第１のテンプルバーと係合可能である、第１の中空の磁石；
少なくとも１つの第２の中空の磁石であって、該第２のテンプルバーが閉じるように旋回される場合に、該第２の中空の磁石が対応する該第１の中空の磁石と整列するように、該眼用フレーム本体から少し離れて該第２のテンプルバーと係合可能である、第２の中空の磁石；
を備え、ここで、
該第２の中空の磁石は、少なくとも、該テンプルバーが閉じるように旋回される場合に、対応する該第１の中空の磁石と磁石の引力により連絡しており；かつ
該テンプルバーが閉じられているものの、衣料により隔てられている場合に、対応する該第１および第２の中空の磁石が、磁石の引力により連絡したままであり、該磁石の引力による連絡が、該テンプルバーと該衣料との間の相対的な動きを実質的に妨げるのに十分な把持力を該衣料に与えている、クラスプ。
【請求項９】
請求項８に記載のクラスプであって、ここで：
前記第１の中空の磁石の各々が、前記第１のテンプルバーの第１側面上に係合可能な第１の磁石の半分と、該第１のテンプルバーの第２側面上に係合可能な第２の磁石の半分とを備え、対応する該第１および第２の磁石の半分が、磁石の引力により連絡しており；かつ
前記第２の中空の磁石の各々が、前記第２のテンプルバーの第１側面上に係合可能な第３の磁石の半分と、該第２のテンプルバーの第２側面上に係合可能な第４の磁石の半分とを備え、対応する該第３および第４の磁石の半分が、磁石の引力により連絡している、クラスプ。
【請求項１０】
前記中空の磁石が、ＭＧＯグレードＮｅｏｄｙｍｉｕｍである、請求項９に記載のクラスプ。
【請求項１１】
前記中空の磁石が、接着剤により前記テンプルバーと係合し、かつ、収縮包装チュービングにより適所に保持されている、請求項８に記載のクラスプ。
【請求項１２】
前記チュービングが０．０２０”ＯＤを有し、かつ、収縮前に０．３５０”ＯＤを有する、請求項１１に記載のクラスプ。
【請求項１３】
前記中空の磁石が、接着剤により前記テンプルバーと係合する、請求項８に記載のクラスプ。
【請求項１４】
前記中空の磁石が、収縮包装チュービングにより前記テンプルバーと係合する、請求項８に記載のクラスプ。
【請求項１５】
前記中空の磁石が、錆を防止するためにコーティングにより覆われている、請求項８に記載のクラスプ。
【国際調査報告】
2006507538.tif 000033
2006507538.tif 000034